(57)【特許請求の範囲】
【請求項１】
電子機器において、
内蔵スピーカからの音を外部に出力する放音口が形成され、スピーカの振動面を前記放音口に向けて該スピーカを保持するスピーカ保持部を有する筐体と、
前記スピーカ保持部に保持されたスピーカとを備え、
前記スピーカが、上面と下面と左右の両側面とで囲まれた振動面を有するスピーカであって、
前記スピーカ保持部が、前記スピーカの両側面をそれぞれガイドする一対の側面ガイドと、該スピーカの下面が置かれる台座と、該スピーカの背面を支える背凭れとを有し、
当該電子機器が、さらに、
前記スピーカの側面と前記側面ガイドとの間に介在する第１のクッション材と、
前記スピーカの下面と前記台座との間に介在する、前記第１のクッション材よりも軟質の材料からなる第２のクッション材と、
前記スピーカの背面と前記背凭れとの間に介在する、前記第１のクッション材よりも軟質の材料からなる第３のクッション材とを有することを特徴とする電子機器。
【請求項２】
前記第１のクッション材は、前記スピーカの側面が嵌入する嵌入部を有し該側面が該嵌入部に嵌入することにより該スピーカに固定されたものであり、
前記第２のクッション材は、前記スピーカの下面に貼着されることにより該スピーカに固定されたものであり、
前記第３のクッション材は、前記スピーカの背面に貼着されることにより該スピーカに貼着されたものであることを特徴とする請求項１記載の電子機器。
【請求項３】
前記第２のクッション材は、前記台座側にも粘着層を有し該台座にも粘着するものであることを特徴とする請求項１又は２記載の電子機器。
【請求項４】
前記第１のクッション材は、前記スピーカの側面と前記側面ガイドとの間に介在して該スピーカの上下方向の向きを規定するものであることを特徴とする請求項１から３のうちのいずれか１項記載の電子機器。
【請求項５】
前記第１のクッション材は、前記スピーカの両側面それぞれが嵌入する部分が該スピーカの上面を通って接続された、１つの部材からなるものであることを特徴とする請求項１から４のうちのいずれか１項記載の電子機器。
【発明の詳細な説明】
【技術分野】
【０００１】
本発明は、スピーカを備えた電子機器に関する。
【背景技術】
【０００２】
電子機器には、スピーカを備えたものも多い。例えばノート型パーソナルコンピュータ（以下、ノートＰＣと略記する）は、上面にキーボードを備えた本体ユニットとその本体ユニットに開閉自在に連結された表示ユニットとで構成されるが、その本体ユニットの前端面近傍にスピーカが備えられていることが多い。
【０００３】
このスピーカは、そのノートＰＣ等の小型化、軽量化の要請から小型のものが採用されており、そのスピーカをそのノートＰＣ等の筐体に取り付けるにあたっては、そのスピーカの姿勢を安定化させるため、そのスピーカの振動面を除く部分を、例えば硬質ゴム等で覆い、その硬質ゴム等が筐体に取り付けられる。
【０００４】
ここでノートＰＣ等には、様々な電子部品が搭載されており、その様々な電子部品の中には、ハードディスクドライブ（ＨＤＤ）等、機械的な振動を受けると誤動作等を生じるおそれのある電子部品も存在する。
【０００５】
スピーカからある程度の大音量で音を放出させるとそのスピーカが振動し、その振動がノートＰＣ等の筐体に伝わると、耳障りな、いわゆるビビリ音が発生したり、さらには、ＨＤＤ等、機械的な振動を嫌う電子部品に悪影響を及ぼすおそれがある。
【０００６】
このビビリ音の発生や電子部品への悪影響を回避するためには、筐体の剛性を高め、また、その電子部品をスピーカから離れた位置に配置することが考えられるが、筐体の剛性を不必要に高めようとすると機器の小型化、軽量化の要請に反することとなり、また電子部品をスピーカから離れた位置に配置するにも、様々な電子部品を搭載する必要上限界がある。
【０００７】
一方、スピーカを覆う硬質ゴム等を軟かい材質のもので構成することで振動を吸収することが考えられるが、その場合、筐体内でのスピーカの姿勢が安定せず、製品ごとにスピーカの向きがばらついてしまうおそれがある。
【０００８】
特許文献１，２には、スピーカで発生する振動の伝達を抑える工夫が開示されているが、振動の伝達抑制とスピーカの姿勢保持とを簡易な構成で両立させるものではなく、また、この工夫を電子機器内蔵型の小型スピーカに適用することは困難である。
【０００９】
また、特許文献３，４には、ＨＤＤ側で振動の影響を受けないようにする工夫が開示されている。
【００１０】
ＨＤＤ側で振動の影響を受けないように工夫することも大切であるが、先ずは、振動の発生源であるスピーカ側で振動伝達を抑える必要がある。
【特許文献１】特開昭５３−９２１２３号公報
【特許文献２】特開平８−３３０７７号公報
【特許文献３】特開平７−１０６７７５号公報
【特許文献４】特開２００２−２３８００８号公報
【発明の開示】
【発明が解決しようとする課題】
【００１１】
本発明は、上記事情に鑑み、スピーカの姿勢保持とスピーカからの振動の伝達の抑制とを簡易な構造で両立させた電子機器を提供することを目的とする。
【課題を解決するための手段】
【００１２】
上記目的を達成する本発明の電子機器は、
内蔵スピーカからの音を外部に出力する放音口が形成され、スピーカの振動面を放音口に向けてスピーカを保持するスピーカ保持部を有する筐体と、
スピーカ保持部に保持されたスピーカとを備え、
上記スピーカが、上面と下面と左右の両側面とで囲まれた振動面を有するスピーカであって、
上記スピーカ保持部が、スピーカの両側面をそれぞれガイドする一対の側面ガイドと、そのスピーカの下面が置かれる台座と、そのスピーカの背面を支える背凭れとを有し、
この電子機器が、さらに、
スピーカの側面と側面ガイドとの間に介在する第１のクッション材と、
スピーカの下面と台座との間に介在する、第１のクッション材よりも軟質の材料からなる第２のクッション材と、
スピーカの背面と背凭れとの間に介在する、上記第１のクッション材よりも軟質の材料からなる第３のクッション材とを有することを特徴とする。
【００１３】
本発明の電子機器は、スピーカの側面を相対的に硬質の第１のクッション材で覆っているため、この第１のクッション材により、スピーカを、筐体内に、安定した姿勢で保持することができる。また、そのスピーカの下面および背面には、相対的に軟質の第２のクッション材および第３のクッション材が配置されているため、これらの第２のクッション材および第３のクッション材により、スピーカの振動が筐体に伝わることが効果的に抑制される。
【００１４】
ここで、上記第１のクッション材は、スピーカの側面が嵌入する嵌入部を有しスピーカの側面が嵌入部に嵌入することによりスピーカに固定されたものであり、上記第２のクッション材は、スピーカの下面に貼着されることによりスピーカに固定されたものであり、上記第３のクッション材は、スピーカの背面に貼着されることによりスピーカに貼着されたものであってもよい。
【００１５】
第１のクッション材は相対的に硬質の材質のものであり、スピーカの側面に嵌め込むことにより固定することができる。第２のクッション材および第３のクッション材は、軟質の材料からなるため、一定の形状を保持することが難しく、スピーカに貼着することによってスピーカに固定することができる。
【００１６】
また、上記第２のクッション材は、上記台座側にも粘着層を有しその台座にも粘着するものであることが好ましい。
【００１７】
第２のクッション材を台座に粘着させることにより、この電子機器の組立時に、スピーカがスピーカ保持部から外れてしまうことが防止され、組立性が向上する。
【００１８】
また、上記第１のクッション材は、スピーカの側面と側面ガイドとの間に介在してスピーカの上下方向の向きを規定するものであることが好ましい。
【００１９】
第１のクッション材は比較的硬質のものであり、この第１のクッション材を使ってスピーカの姿勢を保持することができる。
【００２０】
さらに、上記第１のクッション材は、スピーカの両側面それぞれが嵌入する部分が該スピーカの上面を通って接続された、１つの部材からなるものであることが好ましい。
【００２１】
こうすることにより第１のクッション材を１つの部材で構成し、部品点数の削減を図ることができる。
【００２２】
また、上記スピーカは、振動面側の面が略矩形のスピーカであることが好ましい。
【００２３】
矩形のスピーカの場合、スピーカを筐体内に安定的に保持し易い。ただし、例えば振動面側の面が長円形等のスピーカであっても、第１のクッション材の形状等によりスピーカを安定的に保持することができる。
【００２４】
尚、本発明の電子機器において、上記筐体は、左右一対の放音口が形成され各放音口の内側に各スピーカ保持部を有するものであって、各スピーカ保持部には、各スピーカが、各スピーカに対応して備えられた上記第１、第２、および第３のクッション材を介在させて保持されているものであってもよく、また、本発明の電子機器が、前端と後端および該前端と該後端で形成される上面に操作に応じた指示を入力するキーボードを有し、該指示に応じて演算処理を行なう演算回路を内蔵した演算ユニットを有し、上記筐体は、その演算ユニットの筐体であってもよく、また、本発明の電子機器が、上記演算ユニットに加え、さらに、情報を表示する表示画面を有し演算ユニットの後端で該演算ユニットに開閉自在に連結された表示ユニットを備え、前記放音口は前記演算ユニットの前記前端に設けられているものであってもよい。
【００２５】
本発明の電子機器はステレオの音響設備を持った電子機器にもそのまま適用可能であり、また、本発明は、ノートＰＣ等に好適に適用することができる。
【発明の効果】
【００２６】
以上の本発明によれば、スピーカの姿勢保持とスピーカからの振動の伝達の抑制とを簡易な構造で両立させた電子機器を提供することができる。
【発明を実施するための最良の形態】
【００２７】
以下、本発明の実施形態について説明する。以下では、本発明の電子機器の一例であるノートＰＣを取り上げて説明する。
（全体構成）
図１、図２は、ノートＰＣの外観を示す、それぞれ別の方向から見たときの開状態の斜視図、図３は、そのノートＰＣの閉状態の斜視図、図４は、このノートＰＣの閉状態の底面側を見た斜視図である。
【００２８】
このノートＰＣ１は、本体ユニット１０と表示ユニット２０とで構成されており、表示ユニット２０は、ヒンジ部３０により、本体ユニット１０上に重畳した閉状態（図３参照）と本体ユニット１０から開いた開状態（図１、図２参照）との間で開閉自在に連結されている。
【００２９】
本体ユニット１０には、その上面に、操作に応じた指示を入力するキーボード１１や、操作に応じて後述する表示画面２１上の任意のポイントを指示するポインティングデバイスの一種であるトラックパッド１２や、ロック用のフック２２１が入り込む係合穴１３が配置されている。
【００３０】
また、この本体ユニット１０の前面左右に少し斜め上向きに、内蔵スピーカからの音を外部に出力する放音口１４が形成されている。
【００３１】
さらに、この本体ユニット１０の右側面には、図１に示すように、外部電源接続用の電源入力端子１５やその他複数のコネクタ等が配置されており、左側面には、図２に示すように、ＣＤやＤＶＤ等の媒体が装填されて装填された媒体をドライブするＣＤ／ＤＶＤドライブユニット１６の表面があらわれている。また、この左側面のＣＤ／ＤＶＤドライブユニット１６に対し厚み方向に重なる位置には、ここには不図示（後述する）のＢ−ＣＡＳカード（ＢＳ−Ｃｏｎｄｉｔｉｏｎａｌ  Ａｃｃｅｓｓ  Ｓｙｓｔｅｍｓ  Ｃａｒｄ）が挿入されるカードスロットが形成されている。
【００３２】
また、この本体ユニット１０には、ＣＰＵやその他多数の電子部品が内蔵されており、プログラムの実行により様々な演算処理が行なわれる。
【００３３】
また、表示ユニット２０には、その前面に、表示パネルを構成する、情報表示用の表示画面２１が配置されており、その表示画面２１の周囲が前枠２６で覆われている。また、この表示ユニット２０の前面の、表示画面２１の上縁よりも上の位置には、前枠２６からロック用のフック２２１が突出している。このフック２２１は、この表示ユニット２０を本体ユニット１０上に閉じたときに本体ユニット１０の上面の係合穴１３に入り込み、表示ユニット２０が本体ユニット１０から不用意に開かないようにその係合穴１３内で係止される。
【００３４】
また、この表示ユニット２０の上端面には、ロック解除用の操作子２２２が配置されており、この操作子２２２を押すとフック２２１がロック解除方向に移動し、図３に示す閉状態にあるときにこの操作子２２２を押すことによりフック２２１を係合穴１３から外し、表示ユニット２０を開くことができる。
【００３５】
また、表示ユニット２０の、表示画面２１の上縁よりも上であって、フック２２１の横に並ぶ位置には、後述するカメラモジュールのレンズが覗く撮影窓２３が設けられている。この撮影窓２３は、カメラモジュールが配置される、筐体に設けられた穴の前面が透明なアクリル板等で覆われた構造を有している。さらに、その撮影窓２３の横には、赤外線通信用の赤外線受信窓２４が形成されている。
【００３６】
また、本体ユニット１０の底面には、図４に示すように、後での説明に必要な構成要素としては、側面のカードスロット１７から挿抜自在に挿入されたＢ−ＣＡＳカード４１を収容するカード収容部１８、およびハードディスクドライブユニット（以下、ＨＤＤと称する）が装填されたＨＤＤ収容部を覆う蓋１９が配置されている。
（表示ユニット上部構造）
図５は、表示ユニット前面の上部中央を拡大して示した図である。
【００３７】
表示画面２１の上縁よりも上の位置には、ロック用のフック２２１が表示ユニット２０の前面に突出しており、上端面には、ロック解除用の操作子２２２が突出した状態に備えられている。また、表示ユニット２０の前面の、フック２２１に隣接した位置に、後述するカメラモジュールのレンズが覗く撮影窓２３が形成されている。この撮影窓２３は透明なアクリル板等で覆われている。さらにその撮影窓２３の横には、赤外線受信窓２４も設けられている。
【００３８】
さらに、ここには、表示ユニット２０を構成する前枠をネジ止めしたときのネジ頭を隠すパッド２５が見えている。
【００３９】
図６は、表示画面２１の周囲を覆う前枠を、その内壁面側から見て示した斜視図、図７は、その前枠２６の内壁面の、上部中央を示す拡大図、図８は、その前枠２６の外壁面の、上部中央を示す拡大図である。
【００４０】
この前枠２６は、その中央の開口２６１から表示画面２１を露出させるようにして、表示ユニット２０（図１、図２参照）の、表示画面２１の周囲の前面を構成する部材である。
【００４１】
この前枠の内壁面の上部中央には、フック２２１（図８参照）および操作子２２２のほか、さらに、操作子２２２の操作をフック２２１に伝える連結機構部２２３を備えたロックモジュール２２が備えられている。この連結機構部２２３は、操作子２２２への操作をフック２２１の係合解除への動きとしてフック２２１に伝える役割りを担っている。
【００４２】
また、このロックモジュール２２の図７における右側（図８では左側となる）には、撮影窓２３につながる、カメラモジュールのレンズが装入されるレンズ装入穴２６２が形成されている。
【００４３】
図９は、前枠の内壁面の上部中央を斜めから見た拡大斜視図である。
【００４４】
この図９から分かるように、ロックモジュール２２を構成する連結機構部２２３は、後述する基板に重なる面２２３ａとその面に垂直な面２２３ｂとに広がるようにＬ字形状に折り曲げられた金属板２２３１で覆われている。
【００４５】
このＬ字形状の金属板２２３１は、この連結機構部２２３の強度確保と、後述する基板に搭載された発熱電子部品の冷却の役割りを兼ねている。
【００４６】
図１０は、表示ユニットの上部中央を、前枠を取り外して示した図である。
【００４７】
ここには、カメラモジュール２７１が固定され、さらにそのカメラモジュール２７１用の信号処理回路を構成する多数の電子部品２７２が搭載された基板２７が配置されている。この基板２７上の信号処理回路はコネクタ２７３を介してこの基板外部と電気的に接続されている。
【００４８】
また、この信号処理回路を構成する多数の電子部品２７２のうちの１つの電子部品２７２ａは、動作中にかなりの発熱を伴う発熱電子部品である。
【００４９】
ここで、図６に示す前枠２６を取り付けると、カメラモジュール２７１がレンズ装入穴２６２（図９参照）に挿入されて撮影窓２３（図８参照）からレンズが覗いた状態となり、また、基板２７の、電子部品２７２が搭載された領域が、ロックモジュール２２の連結機構部２２３に重なる位置に配置される。このとき、図９に示すＬ字形状の金属板２２３が、その基板２７上の電子部品２７２に近接してそれらの電子部品２７２を覆うように配置され、これにより、発熱電子部品２７２ａの放熱を助け、またそれらの電子部品２７２に対するシールドの役割りを成している。
【００５０】
ここでは、上記のように、連結機構部２２３と基板２７とが厚み方向に重なる位置に配置されているため、ロックモジュール２２を構成するフック２２１と撮影窓２３が、表示ユニット２０の上部中央の互いに近接した位置に配置される。
（カードアクセスユニット）
図１１は、本体ユニット１０のキーボード１１等の上面の構成部分を取り外して、筐体の底面側の内部を示した斜視図である。
【００５１】
本体ユニット１０を構成する底面側の筐体内にも多数の電子部品が搭載されているが、ここには、そのうちの１つの電子部品として、ＣＤ／ＤＶＤドライブユニット５１が搭載されている。
【００５２】
図１２は、ＣＤ／ＤＶＤドライブユニット５１を取り外した部分を示した図である。
【００５３】
図１１に示すＣＤ／ＤＶＤドライブユニット５１は、本体ユニット１０を構成する筐体に設けられた電子部品装入口１０１から、ＣＤ／ＤＶＤドライブユニット装入部５１１に、装抜自在に装入される電子部品である。一旦装入されたＣＤ／ＤＶＤドライブユニット５１は通常の使用時に取り外されることはないが、故障時等には、その電子部品装入口１０１から取り外すことができるようになっている。このＣＤ／ＤＶＤドライブユニット５１は、電子部品装入口１０１から装入された状態では、そのＣＤ／ＤＶＤドライブユニット５１がその電子部品装入口１０１の開口を塞ぎそのＣＤ／ＤＶＤドライブユニット５１の表面が本体ユニット１０の外形を規定する筐体の一部を成す構成となっている。
【００５４】
ＣＤ／ＤＶＤドライブユニット装入部５１１には、シールド板１０２が敷かれており、電子部品装入口１０１から装入されるＣＤ／ＤＶＤドライブユニット５１は、このシールド板１０２の上に配置される。
【００５５】
また、このシールド板１０２の上には、絶縁性のシート１０３が敷かれており、粘着テープ１０４で貼着されている。
【００５６】
図１３は、粘着テープ１０４を剥がしてシート１０３を広げた状態の、ＣＤ／ＤＶＤドライブユニット装入部５１１を示した図である。
【００５７】
シールド板１０２には、開口１０２ａが形成されており、この開口１０２ａに入り込んだ位置に、カードアクセスユニット５２が配置されている。
【００５８】
また、ここには、シールド板１０１の上を通って２枚の回路基板をつなぐフラットケーブル５３が延びている。
【００５９】
シート１０３は、シールド板１０２に固定された固定部１０３ａと、電子部品装入口１０１寄りの位置で折り返されて固定部１０３ａの上に広がる折返部１０３ｂとを有し、折返部１０３ｂを折り返すと（図１２参照）、フラットケーブル５３はシート１０３の固定部１０３ａと折返部１０３ｂとに挟まれた状態となり、また、シールド板１０２の開口１０２ａおよびカードアクセスユニット５２は折返部１０３ｂで覆われた状態となる。したがってＣＤ／ＤＶＤドライブユニット５１は、装入時および取外し時に、シールド板１０２の開口部１０２ａの縁や、カードアクセスユニット５２や、フラットケーブル５３に引っ掛って傷をつけたり断線させたりすることなく、スムーズに装入あるいは取外しを行なうことができる。
【００６０】
図１４は、本体ユニット１０の底面の一部の拡大図である。
【００６１】
ここには、図４にも示すように、本体ユニット１０の筐体の一端面に形成されたカードスロット１７から挿抜自在に挿入されたＢ−ＣＡＳカード４１を筐体内側に収容するカード収容部１８が形成されている。
【００６２】
図１５は、本体ユニットを構成する底面側筐体の、Ｂ−ＣＡＳカードが挿入されるカードスロットの部分を底面方向から斜めに見た部分斜視図である。
【００６３】
この図１５に示すように、このカードスロット１７は、ＣＤ／ＤＶＤドライブユニット５１が装入される電子部品装入口１０１（図１２を合わせて参照）に対し、本体ユニット１０の厚み方向に重なった位置に形成されており、カード収容部１８は、ＣＤ／ＤＶＤドライブユニット５１が装入されるＣＤ／ＤＶＤドライブユニット装入部５１１と重なった位置に形成されている。
【００６４】
図１６は、カードドライブユニットの接点が配置された側の面（ここでは、この面を内面と称する）を示す図である。
【００６５】
ここには、複数の接点５２１が備えられている。カードスロット１７から挿入されるＢ−ＣＡＳカード４１には、そのＢ−ＣＡＳカード４１の挿入方向前端側の、これらの接点５２１に対応する箇所に電極（図示せず）が形成されており、カードスロット１７から挿入されたＢ−ＣＡＳカード４１はその前端縁が位置決め用の壁５２２に当接して止まり、その状態で接点５２１がＢ−ＣＡＳカード４１の電極に接触し、Ｂ−ＣＡＳカード４１は、このカードドライブユニット５２により、接点５２１を介してアクセスされる。
【００６６】
図１３に示すシールド板１０２の開口１０２ａにはこのカードドライブユニット５２の、図１６に示す内面の裏側の背面が入り込んでいる。この図１３から分かるように、このカードドライブユニット５２は、本体ユニット１０の筐体内の、カードスロット１７から離れた少し奥まった位置に固定されており、カードスロット１７から挿入されてきたＢ−ＣＡＳカード４１は、その先端部分のみがカードドライブユニット５２と重なる位置まで挿入される。
【００６７】
ここで、カードドライブユニット５２は、カードスロット１７から離れた、奥まった位置に備えられているため、カードスロット１７から挿入されてきたＢ−ＣＡＳカード４１をカードドライブユニット５２に向けて正しく案内する必要があるが、ここでは、ＣＤ／ＤＶＤドライブ５１の下に敷かれるシールド板１０２がカード案内用に段差が形成されており、カードスロット１７から挿入されてきたＢ−ＣＡＳカード４１は、そのシールド板１０２と、本体ユニット１０の底面側の筐体のカード収容部１８の内壁とにより、カードドライブユニット５２にまで正しく案内される。ここでは、このように、案内のための余計な部品を配置することなく、もともと必要なシールド板１０２を案内板として用いて、そのシールド板１０２と、筐体とにより案内するため、部品点数の増大による大型化やコストアップを伴わずに案内機能を実現している。
【００６８】
また、カードドライブユニット５２は、図１６に示す内面が本体ユニット１０の底面側筐体内面に直接に対面するように配置されている。通常、このようなカードドライブユニット５２は、図１６に示す内面と協同してＢ−ＣＡＳカード４１を取り巻くように、この内面に対面するもう１枚の板部材が備えられているが、ここでは、そのような板部材は不要であって、カードドライブユニット５２に挿入されてきたＢ−ＣＡＳカード４１は、カードドライブユニット５２の、図１６に示す内面と、筐体の内壁面とに取り囲まれることになる。したがって、ここでは、そのような板部材が不要である分、薄型化に寄与する。
【００６９】
さらに、図１３に示すように、シールド板１０２には開口１０２ａが形成されており、カードドライブユニット５２はその背面側がその開口１０２ａに入り込んだ状態に配置されている。
【００７０】
したがって、ここでは、そのシールド板１０２の厚み分についても薄形化が図られている。
【００７１】
なお、上記実施形態では、積層関係が上からＣＤ／ＤＶＤドライブ、シールド板、カードスロットユニット、本体ユニットの筐体底面であるため、本体ユニットの筐体底面と協同する構造例を示したが、例えばこの実施形態とは天地逆の積層関係をとり、本体ユニットの筐体上面付近にカードスロットユニットが設けられるような構造の場合は、本体ユニットの筐体上面と協同するようにすればいいことは言うまでもない。
（スピーカ）
図１７は、本体ユニット１０の筐体の内部に構成されたスピーカ保持部の斜視図である。
【００７２】
このスピーカ保持部１４０は、図１〜図３に示す、内蔵スピーカからの音を外部に出力する放音口１４の内側に設けられている。放音口１４は、本体ユニット１０の前面の左右に１つずつ、合計２つ設けられており、スピーカ保持部１４０も２つの放音口１４のそれぞれに対応して設けられているが、左右のスピーカ保持部はほぼ同じ構造を有しており、この図１７ではそのうちの一方のみを示している。
【００７３】
このスピーカ保持部１４０には、スピーカの両側面をそれぞれガイドする一対の側面ガイド１４１ａ，１４１ｂと、スピーカの下面が置かれる台座１４２と、スピーカの背面を支える背凭れ１４３を有する。
【００７４】
図１８は、スピーカとそのスピーカに固定されたクッション材を示す、スピーカの振動面を斜め上から見た斜視図、図１９は、スピーカとクッション材を、振動面とは裏側の背面側から見た斜視図、図２０は、スピーカとクッション材を、背面側であって図１９とは別の方向から見た斜視図、図２１は第１のクッション材の斜視図である。
【００７５】
図１８に示すように、このスピーカ５５の振動面５５１は、長円形のものであるが、この振動面５５１側の、振動面５５１のその周囲を含む面は全体として長方形を有している。
【００７６】
この長方形のスピーカ５５の左右の両側面には、図２１に示す形状の第１のクッション材５６が配置され、スピーカ５５の下面には第２のクッション材５７が配置され、スピーカ５５の背面には第３のクッション材５８が配置されている。
【００７７】
ここで、図２１に示す、スピーカ５５の左右の両側面に配置される第１のクッション材５６は、スピーカ５５の左右の側面それぞれに配置される一対の固定部５６１がスピーカ５５の上面を通って接続された１つの部品で構成されている。これにより、左右の固定部５６１を別々の部品とする場合と比べ、部品点数の削減とコストの低減化が図られている。
【００７８】
この第１のクッション材５６の左右の固定部５６１には、スピーカ５５の左右の側面がそれぞれ嵌入する嵌入部５６２が形成されており、スピーカ５５の左右の側面が左右の嵌入部５６２に嵌入することにより、この第１のクッション材５６がスピーカ５５に取り付けられる。
【００７９】
ここで、この第１のクッション材５６は硬質ゴム等の比較的硬い材料で形成されており、したがって、この第１のクッション材５６は、スピーカ５５の側面を嵌入部５６２に嵌入するだけでスピーカ５５に固定される。
【００８０】
また、図１７に示す、筐体に設けられたスピーカ保持部１４０の側面ガイド１４１ａ，１４１ｂは、第１のクッション材５６を取り付けた状態のスピーカ５５の側面をガイドするものであり、第１のクッション材５６は、この第１のクッション材５６を取り付けた状態のスピーカ５５を側面ガイド１４１ａ，１４１ｂに差し込んだときにスピーカ５５の振動面５５１が放音口１４の向きに合うように、スピーカ５５を少し上向きの状態で保持する構造となっている。このように、この第１のクッション材５６は、硬質の材料で形成されており、スピーカ５５の姿勢の保持の役割りも担っている。
【００８１】
また、スピーカ５５の下面に配置された第２のクッション材５７は、第１のクッション材５６よりも軟質の材料で形成されている。このため第１のクッション材５６のように、スピーカ５５の下面に嵌入させて固定するという固定方法を採用することはできず、この第２のクッション材５７は、スピーカ５５の下面に貼着により固定されている。またこの第２のクッション材５７は、スピーカ保持部１４０の台座１４２側の面にも粘着層を有し、このスピーカ５５をスピーカ保持部１４０に配置すると台座１４２にも貼着される。このため、組立時に、スピーカ保持部１４０に一旦配置したスピーカ５５の抜け落ちが防止され、抜け落ちたスピーカ５５を再配置する手間の削減や組立不良等の発生の防止が図られている。
【００８２】
また、スピーカ５５の背面に配置された第３のクッション材５８も、第１のクッション材５６と比べ軟質の材料で形成されており、スピーカ５５の背面に貼着されている。
【００８３】
ここでは、上記のように、スピーカ５５の下面と背面に軟質のクッション材５７，５８が配置され、その状態でスピーカ保持部１４０に配置されており、スピーカ１４０の振動が本体ユニット１０の筐体に伝わることが大きく低減されている。このため、このスピーカ１４０を大音量で鳴らしても、本体ユニット１０の筐体内に備えられている、振動を嫌うハードディスクドライブ（ＨＤＤ）ユニット等の電子部品への影響が抑えられる。
（ハードディスクドライブユニットの取付け構造）
図２２は、本体ユニット底面に開口した、ハードディスクドライブ（ＨＤＤ）ユニットが装入されるＨＤＤ装入部１５０を示した図である。
【００８４】
この図２２は、図４に示す本体ユニット１０の底面に開口を有し抉られた形状を有するＨＤＤ装入部１５０を覆う蓋１９を取り外した状態のものである。
【００８５】
ここには、ＨＤＤユニット６０が配置されている。このＨＤＤユニット６０は、ＨＤＤ本体６１と、そのＨＤＤ本体６１を本体ユニット１０の筐体に取り付けるための取付金具６２とからなる。このＨＤＤユニット６０は、取付金具６２に設けられた穴６２１ａを利用して筐体にネジ止めされるが、この図２２では、これらの穴６２１ａのネジを既に取り外した状態が示されている。
【００８６】
図２３は、ＨＤＤユニットをＨＤＤ本体と取付金具とに分解した状態を示した斜視図、図２４は、取付金具の内面を示した平面図である。
【００８７】
この図２３には、ＨＤＤ本体６１の下面６１５と、取付金具６２の基部の内面６２２ａがあらわれるように示されている。
【００８８】
このＨＤＤ本体６１は、前端面６１１と、後端面６１２と、左右の両側面６１３と、これら前端面６１１、後端面６１２、両側面６１３で区画された上面６１４（図２３では下向き）と下面６１５（図２３では上向き）とを有する、偏平な直方体形状の電子部品である。ここで、前端面６１１には、図２７に示すように、コネクタ６１１ａが備えられている。
【００８９】
ＨＤＤ本体６１は、その上面６１４が取付金具６２の基部の内面６２２ａと対面するように取付金具６２に配置される。このとき、ＨＤＤ本体６１の上面６１４が取付金具６２の内面６２２ａに直接に当たらないように、取付金具６２の内面６２２にクッション材６３１が配置されている。ここで、このクッション材６３１は、取付金具６２の内面６２２ａであって、ＨＤＤ本体６１の上面６１４の、後端面側に寄った部分が接する位置に配置されているが、ＨＤＤ本体６１の前端面側は、取付金具６２のネジ挿通孔６２７とＨＤＤ本体６１のネジ穴６１６を使って、ＨＤＤ本体６１の上面６１４の前端面６１１寄りの部分も取付金具６２の内面６２２ａに直接には接しないように、取付金具６２がＨＤＤ本体６１にネジ止めされる。
【００９０】
また、側面に関しても、取付金具６２には、ＨＤＤ本体６１の両側面６１３の後端面６１２寄りの位置に接するクッション材６３２が配置されている。ＨＤＤ本体６１の側面６１３の前端面６１２寄りの位置には、取付金具６２がネジ止めされるため、クッション材は配置されていない。
【００９１】
また、取付金具６１の、クッション材６３２に対し取付金具６１を間に挟んだ外側にもクッション材６３３が配置されている。この外側のクッション材６３３は、この取付金具６２をＨＤＤ本体６１に取り付けた状態のＨＤＤユニット６０をＨＤＤ装入部１５０（図２２参照）に装入したときの、そのＨＤＤ装入部１５０の内壁との間に配置される。
【００９２】
図２５、図２６は、取付金具がＨＤＤ本体に取り付けられた状態の、前端面をそれぞれ右、左にして各一方の側面を見た状態の斜視図、図２７は、取付金具がＨＤＤ本体に取り付けられた状態の、全体の構造を概括できる角度から見た斜視図である。
【００９３】
この取付金具６２は、板金加工により形成されたものであり、ＨＤＤ本体６１の上面６１４を覆うように広がる基部６２２と、その基部６２２から、ＨＤＤ本体６１の両側面６１３それぞれに沿うように折れ曲がって両側面６１３それぞれに沿って広がる左右一対の側面支持部６２３とを有し、左右一対の側面支持部６２３は、いずれも、前端側側面支持部６２３ａと後端側側面支持部６２３ｂとに分かれている。
【００９４】
これらのうちの前端面側側面支持部６２３ａは、基部６２２に繋がり、その基部６２２からＨＤＤ本体６１の側面６１３に沿うように折れ曲がった折曲部６２３＿１ａと、基部６２２からは分離され折曲部６２３＿１ａに繋ってＨＤＤ本体６１の側面６１３に沿って前端面６１１側に延在し、ＨＤＤ本体６１の前端面６１１との角部にまで延び、さらに前端面６１１側に折れ曲がって前端面６１１の端部を覆う腕部６２３＿２ａとを有する。ネジ止め用のネジ挿通孔６２７（図２３参照）は、この腕部６２３＿２ａに設けられ、その腕部６２３＿２ａがネジ部材４２でＨＤＤ本体６１に固定されている。
【００９５】
また後端面側側面支持部６２３ｂは、前端面側側面支持部６２３ａよりもＨＤＤ本体６１の後端面６１２寄りの位置で、前端面側側面支持部６２３ａとは独立に基部６２２に繋がり、基部６２２からＨＤＤ本体６１の側面６１３に沿うように折れ曲がって側面６１３に沿って広がっている。この後端面側側面支持部６２３ｂの内面にＨＤＤ本体６１の側面６１３との間の緩衝作用を成すクッション材６３２が配置されている。
【００９６】
このように、この取付金具６２は、ＨＤＤ本体６１の後端面側はクッション材６３１，６３２で支持し、前端面側のみ、左右１ヵ所ずつ合計２箇所でネジ止めされている。従来は、一例として、ＨＤＤ本体６１の側面６１３の後端面側と前端面側の双方、および左右の双方の合計４箇所でネジ止めされているが、ここでは、前端面側の２箇所のみでネジ止めされ、後端面側はクッション材６３１，６３２で受けているため、ＨＤＤ本体６１と外部との振動の伝達が有効に抑えられる。さらに、ここでは、ネジ止めは、前端面側側面支持部６２３ａの腕部６２３＿２ａで行なわれており、この腕部６２３＿２ａによっても振動が吸収される構造となっている。
【００９７】
なお、この取付金具６２は異なる厚みサイズのＨＤＤ本体に共用可能に形成されている。上記クッション材６３１は粘着シートにて取付金具６２に接着する構成をとっており、搭載されるＨＤＤ本体の厚みに応じてクッション材６３１を選択して取付金具６２に搭載することで、どのようなＨＤＤ本体が選択されてもＨＤＤ本体を水平に維持するよう搭載可能である。
【００９８】
この取付金具６２の基部６２２には多数の穴６２２ｂが設けられているが、これらの穴６２２ｂは、この基部６２２の１つの役割りである磁気シールドを損なわないレベルで軽量化を図るためのものである。
【００９９】
さらに、この取付金具６２は、基部６２２に繋がり基部６２２からＨＤＤ本体６１の後端面６１２に沿うように折れ曲がり、さらに逆方向に折れ曲がって基部６２２と平行に広がる鍔部６２４を有する。この鍔部６２４は、この取付金具６２がＨＤＤ本体６１に取り付けられた状態のＨＤＤユニット６０を、本体ユニット１０の筐体に設けられたＨＤＤ装入部１５０（図２２参照）に固定するためのものであり、前述したネジ挿通孔６２１ａが設られている。
【０１００】
図２２に示すように、ＨＤＤ装入部１５０の前端にはコネクタ１５１が備えられており、ＨＤＤユニット６０をＨＤＤ装入部１５０に装入するにあたっては、ＨＤＤ本体６１の下面６１５がＨＤＤ装入部１５０の底面側を向くようにして、ＨＤＤ本体６１前端面６１１のコネクタ６１１ａ（図２７参照）がＨＤＤ装入部１５０の前端のコネクタ１５１に嵌め込まれ、取付金具６２の鍔部６２４に設けられているネジ挿通孔６１２ａが利用されてネジ部材で本体ユニット１０の筐体に固定される。
【０１０１】
図２８は、ＨＤＤユニットを取り外した状態のＨＤＤ装入部を示した図、図２９は、そのＨＤＤ装入部の一部の拡大斜視図である。
【０１０２】
このＨＤＤ装入部１５０は、本体ユニットの底面に開口を有し、内部が抉られた形状を有する。このＨＤＤ装入部１５０の前端にはＨＤＤユニット６０のコネクタ６１１ａ（図２７参照）と組み合うコネクタ１５１が備えられている。
【０１０３】
また、このＨＤＤ装入部１５０の底面には、４箇所に位置決めリブ１５２のペアが形成されており、ＨＤＤユニット６０は、ＨＤＤ装入部１５０に装入されたときに、取付金具６２の側面がこの位置決めリブ１５２により位置規制される。位置決めリブ１５２の各ペアに挟まれた位置には、合計４つのクッション材６３４が配置されている。このクッション材６３４は、図２９に示すように、位置決めリブ１５２の、ＨＤＤ本体６１の下面６１５と向き合う部分よりも嵩高であり、したがってＨＤＤ本体６１は、ＨＤＤ装入部１５０に、ＨＤＤ本体６１の下面６１５がそれら４つのクッション材６３４の上に乗った状態に装入される。ＨＤＤユニット６０とＨＤＤ装入部１５０の側面との間には、取付金具６２の後端面側側面支持部６２３の外壁に固定されたクッション材６３３が配置される。
【０１０４】
また、ＨＤＤ装入部１５０の後端縁にはこのＨＤＤ装入部１５０にＨＤＤユニット６０が装入されたときに、そのＨＤＤユニット６０を構成する取付金具６２の鍔部６２４のネジ挿通孔６２１ａを連通する位置に２つのネジ穴１５３が形成されており、これらのネジ挿通孔６２１ａとネジ穴１５３とにより、ＨＤＤユニット６０が本体ユニット１０の筐体にネジ部材で固定される。
【０１０５】
ここで、前述したように、取付金具６２はＨＤＤ本体６１の左右の側面の、前端面寄りの位置で左右それぞれ１箇所ずつ、合計２箇所のみでネジで固定され、ＨＤＤ本体６１の後端面側は、クッション材６３１，６３２を介して取付金具６２に支えられている。このためＨＤＤ本体６１は取付金具６２に対し振動の許容度が大きい。このＨＤＤ本体６１はその内部で記憶媒体であるハードディスク（ＨＤ）が回転しその回転するＨＤ上をヘッドが移動してアクセスするという、機械的振動部を有し、自分でも振動を発生するとともに、外部から振動を受けると誤動作し易い。ここでは、上記の構造により取付金具６２に対するＨＤＤ本体６１の振動の許容度を高めているため、振動の伝達が大幅に抑えられる。さらに、ＨＤＤユニット６０とＨＤＤ装入部１５０との間にも、ＨＤＤ装入部１５０の底面の４つのクッション材６３４とＨＤＤユニット６０の左右側面の後端側の２つのクッション材６３３とが配置され、振動の許容度が高められている。
【０１０６】
したがって、この構成によれば、本体ユニット１０の筐体とＨＤＤ本体６１との間で機械的な振動が伝わり難く、外部からの衝撃や振動によるＨＤＤ本体６１の誤作動が抑えられ、また、ＨＤＤ本体６１の振動の他の部品への悪影響も抑えられる。
（電子部品取付構造）
図３０は、本体ユニット１０の上面を構成するキーボード１１（図１参照）等を取り外し、その下に広がるシールド板を示した図である。このシールド板１６０は、板金加工により形成されたものである。
【０１０７】
ここでは、このシールド板１６０を利用した、板状の電子部品７０の取付構造について説明する。
【０１０８】
図３１は、図３０のうちの、電子部品７０の部分を示した拡大図、図３２は、図３１と同じ部分を、電子部品を取り外して、その電子部品が配置される部品配置領域と電子部品とを並べて示した図である。図３２（Ａ）は、電子部品配置領域の平面図、図３２（Ｂ）は電子部品の平面図、図３２（Ｃ）は電子部品の正面図である。
【０１０９】
この電子部品７０は、通信用の回路が組み込まれた電子部品であり、図３２（Ｂ）に示すように長方形状を有するが、厚み方向には、図３２（Ｃ）に示すように、通信モジュール７３と、その通信モジュール７３に固定され通信モジュール７３よりも広い面積の支持板７４とで構成されている。支持板７０の４隅には、ネジ止め用の貫通孔７１が形成されており、通信モジュール７３からはこの電子部品７０の外部との間の信号伝達を担うケーブル７２が延びている。
【０１１０】
一方、この電子部品７０が配置される部品配置領域１７０には、シールド板１６０に開口１６１が設けられており、その開口１６１の前端縁１６１ａ（図３１、図３２の右側の端縁）には、その開口１６１内に張り出した形状の張出片１６２が形成されている。また、その開口１６１の後端は、シールド板１６０の一部が帯状に延びた帯状部１６３で区切られその帯状部１６３で開口１６１の後端縁１６１ｂが形成されている。このシールド板１６０の帯状部１６３は、本体ユニット１０（図１参照）の筐体の底面内壁に立設した３本のボス１７１により下から支えられている。それら３本のボス１７１のうちの両側のボスには、その中央にネジ穴（図示せず）が設けられており、シールド板１６０の帯状部１６３の、そのネジ穴に重なる部分にネジ挿通孔１６３ａが形成されている。
【０１１１】
これらのネジ穴およびネジ挿通孔１６３ａは、この部品配置領域１７０に電子部品７０を配置したとき、その電子部品７０に設けられた４つの貫通孔７１のうちの後端側に設けられた２つの貫通孔と重なる位置に設けられている。この電子部品７０の前端側の２つの貫通孔７１は、ここでは利用されない。
【０１１２】
ここで、上記のように、シールド板１６０には開口１６１に張り出した張出片１６２が形成されているが、この張出片１６２は、電子部品７０の上面を支持する役割りを担っている。ただし、この張出片１６２が開口１６１内に張り出しているため、この張出片１６２が邪魔になって電子部品７０を上から配置することはできない。また、その電子部品７０の前端を張出片１６２の下に潜らせるように横にスライドさせて配置しようとすると、この電子部品７０は、図３２（Ｃ）に示すように前端部分および後端部分のみ薄く、中央部分は通信モジュール７３が固定されて厚い形状を有しているため、この通信モジュール７３がシールド板１６０の帯状部１６３に当たってしまい、横にスライドさせて配置するのもかなり困難である。そこで、ここでは以下のように工夫されている。
【０１１３】
図３３は、部品配置領域を斜め上から見た斜視図、図３４は、その部品配置領域の前端部分の拡大図である。
【０１１４】
この部品配置領域１７０の前端部分には、張出片１６２の両側に、筐体の底面内壁から立設した下面案内リブ１７２が設けられており、さらにそれら２つの下面案内リブ１７２
を間に挟む位置に、筐体の底面内壁から立設した側面案内リブ１７３が設けられている。
【０１１５】
ここで、下面案内リブ１７２の上面は、支持面１７２ａと斜面１７２ｂとから形成されており、この斜面１７２ｂを下った位置には当接壁１７２ｃが形成されている。
【０１１６】
この斜面１７２ｂは、開口１６１の前端縁１６１ａに向かって下方に傾斜した斜面であって、その前端縁１６１ａに向かって斜め下向きに差し込まれてきた電子部品７０の前端側下面を案内するものである。
【０１１７】
また、支持面１７２ａは、斜面１７１ｂよりも前端縁１６１ａから離れた側に、その斜面１７２ｂに隣接して形成されており、その斜面１７２ｂに案内されて斜め下向きに差し込まれてきた電子部品７０の後端側を下げて電子部品７０を水平にしたときの、その電子部品７０の前端側下面を支持するものである。電子部品７０が、この支持面１７２ａで下面が支持され、水平に置かれると、張出片１６２により、その電子部品７０の先端側の上面が支持される。
【０１１８】
さらに、当接壁１７２ｃは、斜面１７２ｂに案内されて斜め下向きに差し込まれてきた電子部品７０の先端の当接を受け、その電子部品７０の前後方向の位置決めを行なうためのものである。
【０１１９】
ここで、張出片１６２は、先端が斜め上向きに折り曲げられた形状を有しており、この点も、電子部品７０を斜め下向きに差し込むときの助けになっている。
【０１２０】
また、側面案内リブ１７３は、開口１６１の前端縁１６１ａに向かって斜め下向きに差し込まれてきた電子部品７０の先端側の左右両側面を案内するものであり、一対の側面案内リブ１７３どうしで互いに平行に広がる案内壁１７３ａと、その案内壁１７３ａよりも、開口１６１の前端縁１６１ａから離れた側に形成された、その前端縁１６１ａから離れる方向に向かって互いに開いた導入壁１７３ｂとを有する。
【０１２１】
案内壁１７３ａは電子部品７０の側面を案内して電子部品７０の左右方向の位置を正しい位置に規制するものであり、導入壁１７３ｂは、左右方向に多少位置がずれて差し込まれてきた電子部品７０の側面を案内して左右方向の位置を修正しながら案内壁１７３ａに受け渡すものである。
【０１２２】
図３５は電子部品が部品配置領域に斜めに差し込まれた様子を示した図、図３６は、差し込んだ電子部品を水平に置いた状態を示した図である。
【０１２３】
ここでは、電子部品７０の左右方向については側面案内リブ１７３で位置規制しながら、下面案内リブ１６２の斜面１６２ｂで斜め下向きに差し込まれてきた電子部品７０を案内して電子部品７０の先端を立壁１６２ｃに当接させることで前後方向の位置を決め、その後電子部品７０を水平に置くこととにより、電子部品７０の前端側について下面を下面案内リブ１７２の支持面１７２ａで支持させるとともに上面を張出片１６２で支持させる。その状態で電子部品７０の後端側の貫通孔７１を使って筐体底面から立設したボスにネジ止めする。
【０１２４】
このように、ここでは、下面案内リブ１７２を設けて斜め下向きに差し込まれてきた電子部品７０を案内する構成にしたため、電子部品７０を部品配置領域１７０の正しい位置に容易に配置することができ、組立性が向上する。
【０１２５】
以下、本発明の各種形態を付記する。
【０１２６】
（付記１）
電子機器において、
内蔵スピーカからの音を外部に出力する放音口が形成され、スピーカの振動面を前記放音口に向けて該スピーカを保持するスピーカ保持部を有する筐体と、
前記スピーカ保持部に保持されたスピーカとを備え、
前記スピーカが、上面と下面と左右の両側面とで囲まれた振動面を有するスピーカであって、
前記スピーカ保持部が、前記スピーカの両側面をそれぞれガイドする一対の側面ガイドと、該スピーカの下面が置かれる台座と、該スピーカの背面を支える背凭れとを有し、
当該電子機器が、さらに、
前記スピーカの側面と前記側面ガイドとの間に介在する第１のクッション材と、
前記スピーカの下面と前記台座との間に介在する、前記第１のクッション材よりも軟質の材料からなる第２のクッション材と、
前記スピーカの背面と前記背凭れとの間に介在する、前記第１のクッション材よりも軟質の材料からなる第３のクッション材とを有することを特徴とする電子機器。
【０１２７】
（付記２）
前記第１のクッション材は、前記スピーカの側面が嵌入する嵌入部を有し該側面が該嵌入部に嵌入することにより該スピーカに固定されたものであり、
前記第２のクッション材は、前記スピーカの下面に貼着されることにより該スピーカに固定されたものであり、
前記第３のクッション材は、前記スピーカの背面に貼着されることにより該スピーカに貼着されたものであることを特徴とする付記１記載の電子機器。
【０１２８】
（付記３）
前記第２のクッション材は、前記台座側にも粘着層を有し該台座にも粘着するものであることを特徴とする付記１又は２記載の電子機器。
【０１２９】
（付記４）
前記第１のクッション材は、前記スピーカの側面と前記側面ガイドとの間に介在して該スピーカの上下方向の向きを規定するものであることを特徴とする付記１から３のうちのいずれか１項記載の電子機器。
【０１３０】
（付記５）
前記第１のクッション材は、前記スピーカの両側面それぞれが嵌入する部分が該スピーカの上面を通って接続された、１つの部材からなるものであることを特徴とする付記１から４のうちのいずれか１項記載の電子機器。
【０１３１】
（付記６）
前記スピーカは、振動面側の面が略矩形のスピーカであることを特徴とする付記１から５のうちのいずれか１項記載の電子機器。
【０１３２】
（付記７）
前記筐体は、左右一対の放音口が形成され各放音口の内側に各スピーカ保持部を有するものであって、該各スピーカ保持部には、各スピーカが、該各スピーカに対応して備えられた前記第１、第２、および第３のクッション材を介在させて保持されていることを特徴とする付記１から６のうちのいずれか１項記載の電子機器。
【０１３３】
（付記８）
当該電子機器が、前端と後端および該前端と該後端で形成される上面に操作に応じた指示を入力するキーボードを有し、該指示に応じて演算処理を行なう演算回路を内蔵した演算ユニットを有し、前記筐体は、該演算ユニットの筐体であることを特徴とする付記１から７のうちのいずれか１項記載の電子機器。
【０１３４】
（付記９）
当該電子機器が、前記演算ユニットに加え、さらに、情報を表示する表示画面を有し該演算ユニットの後端で該演算ユニットに開閉自在に連結された表示ユニットを備え、前記放音口は前記演算ユニットの前記前端に設けられていることを特徴とする付記８記載の電子機器。
【図面の簡単な説明】
【０１３５】
【図１】ノートＰＣの外観を示す、開状態の斜視図である。
【図２】ノートＰＣの外観を示す、開状態の斜視図である。
【図３】ノートＰＣの閉状態の斜視図である。
【図４】ノートＰＣの閉状態の底面側を見た斜視図である。
【図５】表示ユニット前面の上部中央を拡大して示した図である。
【図６】表示画面の周囲を覆う前枠を、その内壁面側から見て示した斜視図である。
【図７】前枠の内壁面の、上部中央を示す拡大図である。
【図８】前枠の外壁面の、上部中央を示す拡大図である。
【図９】前枠の内壁面の上部中央を斜めから見た拡大斜視図である。
【図１０】表示ユニットの上部中央を、前枠を取り外して示した図である。
【図１１】本体ユニットのキーボード等の上面の構成部分を取り外して、筐体の底面側の内部を示した斜視図である。
【図１２】ＣＤ／ＤＶＤドライブユニットを取り外した部分を示した図である。
【図１３】粘着テープを剥がしてシートを広げた状態の、ＣＤ／ＤＶＤドライブユニット装入部を示した図である。
【図１４】本体ユニットの底面の一部の拡大図である。
【図１５】本体ユニットを構成する底面側筐体の、Ｂ−ＣＡＳカードが挿入されるカードスロットの部分を底面方向から斜めに見た部分斜視図である。
【図１６】カードドライブユニットの接点が配置された側の面を示す図である。
【図１７】本体ユニットの筐体の内部に構成されたスピーカ保持部の斜視図である。
【図１８】スピーカとそのスピーカに固定されたクッション材を示す、スピーカの振動面を斜め上から見た斜視図である。
【図１９】スピーカとクッション材を、振動面とは裏側の背面側から見た斜視図である。
【図２０】スピーカとクッション材を、背面側であって図１９とは別の方向から見た斜視図である。
【図２１】第１のクッション材の斜視図である。
【図２２】本体ユニット底面に開口した、ハードディスクドライブ（ＨＤＤ）ユニットが装入されるＨＤＤ装入部１５０を示した図である。
【図２３】ＨＤＤユニットをＨＤＤ本体と取付金具とに分解した状態を示した斜視図である。
【図２４】取付金具の内面を示した平面図である。
【図２５】取付金具がＨＤＤ本体に取り付けられた状態の、前端面を右にして一方の側面を見た状態の斜視図である。
【図２６】取付金具がＨＤＤ本体に取り付けられた状態の、前端面をそれぞれ左にしてもう一方の側面を見た状態の斜視図である。
【図２７】取付金具がＨＤＤ本体に取り付けられた状態の、全体の構造を概括できる角度から見た斜視図である。
【図２８】ＨＤＤユニットを取り外した状態のＨＤＤ装入部を示した図である。
【図２９】ＨＤＤ装入部の一部の拡大斜視図である。
【図３０】本体ユニットの上面を構成するキーボード等を取り外し、その下に広がるシールド板を示した図である。
【図３１】図３０のうちの、電子部品の部分を示した拡大図である。
【図３２】図３１と同じ部分を、電子部品を取り外して、その電子部品が配置される部品配置領域と電子部品とを並べて示した図である。
【図３３】部品配置領域を斜め上から見た斜視図である。
【図３４】その部品配置領域の前端部分の拡大図である。
【図３５】電子部品が部品配置領域に斜めに差し込まれた様子を示した図である。
【図３６】差し込んだ電子部品を水平に置いた状態を示した図である。
【符号の説明】
【０１３６】
１    ノートＰＣ
１０    本体ユニット
１１    キーボード
１２    トラックパッド
１３    係合穴
１４    放音口
１５    電源入力端子
１６    ＣＤ／ＤＶＤドライブユニット
１７    カードスロット
１８    カード収容部
１９    蓋
２０    表示ユニット
２１    表示画面
２２    ロックモジュール
２３    撮影窓
２４    赤外線受信窓
２５    パッド
２６    前枠
２７    基板
３０    ヒンジ部
４１    Ｂ−ＣＡＳカード
４２    ネジ部材
５１    ＣＤ／ＤＶＤドライブユニット
５２    カードアクセスユニット
５３    フラットケーブル
５５    スピーカ
５６    第１のクッション材
５７    第２のクッション材
５８    第３のクッション材
６０    ＨＤＤユニット
６１    ＨＤＤ本体
６２    取付金具
７０    電子部品
７１    貫通口
７２    ケーブル
７３    通信モジュール
７４    支持板
１０１    電子部品装入口
１０２    シールド板
１０２ａ    開口
１０３    絶縁性のシート
１０３ａ    固定部
１０３ｂ    折返部
１０４    粘着テープ
１４０    スピーカ保持部
１４１ａ，１４１ｂ    側面ガイド
１４２    台座
１４３    背凭れ
１５０    ＨＤＤ装入部
１５１    コネクタ
１５２    位置決めリブ
１５３    ネジ穴
１６０    シールド板
１６１    開口
１６１ａ    前端縁
１６１ｂ    後端縁
１６２    張出片
１６３    帯状部
１６３ａ    ネジ挿通孔
１７０    部品配置領域
１７１    ボス
１７２    下面案内リブ
１７２ａ    支持面
１７２ｂ    斜面
１７２ｃ    当接壁
１７３    側面案内リブ
１７３ａ    案内壁
１７３ｂ    導入壁
２１６    開口
２２１    ロック用のフック
２２２    操作子
２２３    連結機構部
２２３ａ    基板に重なる面
２２３ｂ    垂直な面
２２３１    金属板
２６２    レンズ装入穴
２７１    カメラモジュール
２７２    電子部品
２７２ａ    発熱電子部品
２７３    コネクタ
５１１    ＣＤ／ＤＶＤドライブユニット装入部
５２１    接点
５２２    位置決め用の壁
５５１    振動面
５６１    固定部
５６２    嵌入部
６１１    前端面
６１１ａ    コネクタ
６１２    後端面
６１２ａ    ネジ挿通孔
６１３    両側面と
６１４    上面
６１５    下面
６１６    ネジ穴
６２１ａ    穴    ネジ挿通孔
６２２    基部
６２２ａ    内面
６２２ｂ    穴
６２３    側面支持部
６２３ａ    前端側側面支持部
６２３ｂ    後端側側面支持部
６２３＿１ａ    折曲部
６２３＿２ａ    腕部
６２４    鍔部
６２７    ネジ挿通孔
６３１，６３２，６３３，６３４    クッション材
【図１】
0004852009.tif 000002
【図２】
0004852009.tif 000003
【図３】
0004852009.tif 000004
【図４】
0004852009.tif 000005
【図５】
0004852009.tif 000006
【図６】
0004852009.tif 000007
【図７】
0004852009.tif 000008
【図８】
0004852009.tif 000009
【図９】
0004852009.tif 000010
【図１０】
0004852009.tif 000011
【図１１】
0004852009.tif 000012
【図１２】
0004852009.tif 000013
【図１３】
0004852009.tif 000014
【図１４】
0004852009.tif 000015
【図１５】
0004852009.tif 000016
【図１６】
0004852009.tif 000017
【図１７】
0004852009.tif 000018
【図１８】
0004852009.tif 000019
【図１９】
0004852009.tif 000020
【図２０】
0004852009.tif 000021
【図２１】
0004852009.tif 000022
【図２２】
0004852009.tif 000023
【図２３】
0004852009.tif 000024
【図２４】
0004852009.tif 000025
【図２５】
0004852009.tif 000026
【図２６】
0004852009.tif 000027
【図２７】
0004852009.tif 000028
【図２８】
0004852009.tif 000029
【図２９】
0004852009.tif 000030
【図３０】
0004852009.tif 000031
【図３１】
0004852009.tif 000032
【図３２】
0004852009.tif 000033
【図３３】
0004852009.tif 000034
【図３４】
0004852009.tif 000035
【図３５】
0004852009.tif 000036
【図３６】
0004852009.tif 000037